(57)【要約】【課題】  経済的でかつメンテナンスが簡単ながら、十分な流量の脱塩ができ、しかも水溶液の温度に左右されず脱塩処理をすることができる。次亜塩素酸および次亜塩素酸ナトリウムを外部に排出させないため環境面にも貢献でき、身体にかかる危険性も無くなる。多用途に凡用性の優れた脱塩素浄化装置を提供する。【解決手段】  本発明に係わる脱塩素浄化装置は、次亜塩素酸および次亜塩素酸ナトリウムを含む水溶液（以下、処理対象水溶液）を、通流する流路内に脱着可能に装着され、処理対象水溶液を処理する浄化部が筒体状に形成され、一方が処理対象水溶液の流入口で、他方が処理された処理対象水溶液の流出口となる浄化部に浄化材として、銅粒子および銅繊維が収容されたものであることを特徴とする。【選択図】図１
2009113022.tif 000002
【特許請求の範囲】
【請求項１】
次亜塩素酸および次亜塩素酸ナトリウムを含む処理対象の水溶液（以下、処理対象水溶液）を通流させる流路間に、着脱可能に装着され、該処理対象水溶液を浄化処理する浄化部が設けられた処理装置において。前記浄化部は、中空構造の容器の一端に前記処理対象の水溶液の流入口が形成されると共に、他端には処理済の水溶液の流出口が形成されていて、該容器内には銅からなる浄化材が収容されていることを特徴とした脱塩素浄化装置。
【請求項２】
前記浄化材は、前記処理対象水溶液の水流によって流動可能であることを特徴とする請求項１記載の脱塩素浄化装置。
【請求項３】
前記流入口は、前記中空構造容器の下部側に形成されていることを特徴とする請求項１または請求項２記載の脱塩素浄化装置。
【請求項４】
前記浄化部に収容されている浄化材は、粒状体であることを特徴とする請求項１〜３のうちのいずれか一項記載の脱塩素浄化装置。
【請求項５】
前記浄化部に収容されている浄化材は、線状体であることを特徴とする請求項１〜３のうちのいずれか一項記載の脱塩素浄化装置。
【請求項６】
前記浄化部に収容されている浄化材は、粒状体および線状体の混合体であることを特徴とする請求項１〜３のいずれか一項記載の脱塩素浄化装置。
【請求項７】
前記浄化部に収容されている浄化材は、線状体を塊状に形成したものであることを特徴とする請求項１〜３のうちのいずれか一項記載の脱塩素浄化装置。
【請求項８】
前記浄化部に収容されている浄化材は、線状体をフィルタ状に形成したものであることを特徴とする請求項１〜３のうちのいずれか一項記載の脱塩素浄化装置。
【請求項９】
前記浄化部には、線状体をフィルタ状に形成した浄化材が複数枚配設されていることを特徴とする請求項１〜３のうちのいずれか一項記載の脱塩素浄化装置。
【発明の詳細な説明】
【技術分野】
【０００１】  本発明は、脱塩素分化装置に関し、より詳細には、浄化部に取り込んだ次亜塩素酸および次亜塩素酸ナトリウムが含む有害な水溶液を銅材からなる浄化材を用いて浄化処理する脱塩素浄化装置に関する。
【背景技術】
【０００２】  従来、一般的な次亜塩素酸および次亜塩素酸ナトリウムが含む水溶液の処理装置または処理方法は、活性炭類や中空糸膜を用いて濾過するか、亜硫酸カルシウム等の化学薬品を加えて中和させている。
【発明が解決しようとする課題】
【０００３】  前記の中和処理方法は、化学反応をして別の水溶液に変化させているだけである。例えば、亜硫酸カルシウムを使用して処理対象の水溶液を中和処理すると塩化カルシウム水溶液になる。これは、残留塩素試薬に反応をしなくさせているのである。
【０００４】  また、活性炭濾過や中空糸膜濾過は吸着方式であり理能力に限界があり性能寿命が短い。濾過部では雑菌が繁殖もしてしまう事がある。大量の水を使用する場合、ランニングコストもかさんでしまうため、運営コストの負担が大きくなってしまうといった課題がある。
【０００５】  そこで本発明は、次亜塩素酸および次亜塩素酸ナトリウムを含む水溶液を浄化処理し、更に銅の抗菌作用も利用する。製造コストを抑えると共に、ランニングコストも抑えることが可能な、脱塩素浄化装置の提供を目的としている。
【課題を解決するための手段】
【０００６】  本発明は、次亜塩素酸および次亜塩素酸ナトリウムを含む処理対象の水溶液（以下、処理対象水溶液）を流通させる流路に着脱可能に装着され、該処理対象水溶液を浄化処理する浄化部が設けられた脱塩素浄化装置において、前記浄化部は、中空構造の容器の一端に前記処理対象水溶液の流入口が形成されると共に、他端には処理された水溶液の流出口が形成されていて、該容器内には、銅からなる浄化材が収容されていることを特徴とする脱塩素浄化装置である。
【０００７】  かかる本発明において、前記浄化材は、前記処理対象水溶液の水流によって流動可能のものであることが処理対象水溶液との接触を十分なものにするため好ましい。このように浄化材を流動させるには処理対象水溶液の流入口を前記中空構造容器の下部側に形成されていることが好ましい。
【０００８】  また、処理対象水溶液により流動化させるには、前記浄化部に収容される浄化材として粒状体、線状体、粒状体および線状体の混合体を用いることがより好ましい形態である。
【０００９】  また前記浄化部に収容されている浄化材は、線状体を塊状に形成したものであっても良く、線状体をフィルタ状に形成したものであっても良い。かかる線状体をフィルタ状に形成した浄化材は、中空構造容器内に複数枚配設することによって、浄化材と処理対象水溶液を効率的に接触させながらも、浄化材の取り扱いを容易にすることが可能になる。
【発明の効果】
【００１０】  本発明により、処理対象水溶液を浄化処理することができるためメンテナンス作業をする必要がない。したがって、処理装置のランニングコストを大幅に削減させることができる。もちろん次亜塩素酸および次亜塩素酸ナトリウムの化学物質の排出が無いため、人体に影響する気化した塩化系ガス類もなく、大気汚染の環境面にも貢献できる。
【発明を実施するための最良の形態】
【００１１】  以下、添付図面に基づいて本発明の最良の実施の形態を詳細に説明する。図１は、本実施の形態における脱塩素浄化装置の正面図である。図２は、図１におけるＡ−Ａ断面の断面図である。図３は浄化器内に次亜塩素酸または次亜塩素酸ナトリウムを含む水溶液（以下、処理対象水溶液）を流入させた状態における内部状態を示す断面図である。【００１２】  脱塩素浄化装置１０は、処理対象水溶液を通流させる図示しない流路に、処理対象水溶液を浄化処理する浄化部２０が着脱可能に設けられている。浄化部２０は円筒体等の中空構造容器２２と、処理対象水溶液を中空構造容器２２に流入させる流入口２４と、浄化し処理された水溶液を中空構造容器２２から排出させる流出口２６を有している。【００１３】  流入口２４および流出口２６は、それぞれ中空構造容器２２に対して徐々に拡径または縮径する鏡部２４ａ、２６ａと鏡部２４ａ，２６ａの頂部に取り付けられた連結部２４ｂ、２６ｂとから構成されている。本実施の形態においては、それぞれ鏡部２４ａ，２６ａが円弧状に形成されたものを用いている。なお、流入口２４は、中空構造容器２２の下部に形成され、流出口２６は中空構造容器２２の上部に形成されている。【００１４】  中空構造容器２２と流入口２４および流出口２６は、シール材３０を介してボルト３２およびナット３４により組み立てられていて、分解可能になっている。また、中空構造容器２２と流入口２４および流出口２６の境界部分には、浄化材４０の流出を防止するためのフィルタ部材２８がそれぞれ配設されている。【００１５】  中空構造容器２２の内部には、浄化材４０としての銅粒子４０ａおよび銅繊維４０ｂが収容されている。銅粒子４０ａおよび銅繊維４０ｂは中空構造容器２２の内部空間の九割以上に充てんされていることが好ましい。本実施例で用いる銅粒子４０ａおよび銅繊維４０ｂは、中空構造容器２２に流入する処理対象水溶液の水流により、流動出来る程度のものであればよい。銅粒子４０ａとしては、平均粒子径が１５０μｍ〜１８０μｍのものを用いることができる。また、銅繊維４０ｂとしては、径寸法が平均１５０μｍ〜１８０μｍのものを用いることができる。なお、銅繊維４０ｂの長さは特に限定するものではないが、銅粒子４０ａに近いような長さのものから十数センチ程度のものをスチールウールのような塊状に形成したものを用いることができる。【００１６】  脱塩素浄化装置１０は以上のような構成となっている。脱塩素浄化装置１０による処理対象水溶液の処理方法について説明する。処理水溶液は図示しない流路を経由した後、浄化材４０の下部側に位置する流入口２４から中空構造容器２２に流入する。中空構造容器２２内に収容されている銅粒子４０ａおよび銅繊維ｂは下方側から流入した処理対象の水溶液の水流により流動しつつ循環する（以下このような状態を流動状態とする）。なお、処理対象水溶液は、図示しない制御手段によりポンプで所要の流入量、流入圧力によって浄化部２０に流入されている。【００１７】  このように中空構造容器２２の内部空間で浄化材４０が流動状態になるため、流入した処理対象水溶液が流出路２６から直ちに中空構造容器２２の外部に流出してしまうことなく、処��対象水溶液と浄化材４０との接触機会を増加させることができる。流動状態にある銅粒子４０ａおよび銅繊維４０ｂは、非加熱状態であっても処理対象水溶液中の次亜塩素酸および次亜塩素酸ナトリウムと十分に接触し、銅粒子４０ａおよび銅繊維４０ｂの表面に塩化銅を形成し、処理対象水溶液を分解浄化処理する。なお、先述のとおり、流入口２４および流出口２６と中空構造容器２２の境界部分にはフィルタ部材２８が配設されているので、銅粒子４０ａおよび銅繊維４０ｂが処理された水溶液と共に中空構造容器２２から排出されてしまうことはない。【００１８】  浄化材４０と接触することにより処理対象水溶液に含まれていた塩素成分が除去されてできた処理された水溶液は、中空構造容器２２の上部側に形成された流出口２６から排出される。排出された処理された水溶液は、図示しない活性炭等による二次フィルタ材によってさらにろ過されれば、脱臭処理もなされ、さらに好適である。また、処理された水溶液には分離したナトリウムが含まれていることがあるため、ナトリウムを除去する手段を設けても良い。【００１９】  このようにして処理対象水溶液は浄化材４０である銅粒子４０ａおよび銅繊維４０ｂと接触し、塩化銅を形成することにより浄化処理され、処理された水溶液が排出される。浄化材４０は処理対象水溶液に含まれる塩素成分と反応することにより、徐々に塩素成分との反応性能が低下するが、数ヶ月に一度程度で新しい浄化材４０に交換すれば脱塩素浄化装置１０の浄化能力を維持することができる。なお、使用後の銅粒子４０ａおよび銅繊維４０ｂは塩化銅となるため、還元処理する等して再利用することももちろん可能である。【００２０】  以上に本実施の形態に基づいて脱塩素浄化装置１０に説明してきたが、本願発明による脱塩素浄化装置１０は以上の実施形態に限定されるものではない。例えば、図４に示すように、中空構造容器２２は、処理対象水溶液の流路方向においてフィルタ部材２８により複数のスペースに分割された形態にすることもできる。それぞれの分割スペースＳ、Ｓ・・・には浄化材４０としての銅粒子４０ａまたは銅繊維４０ｂが、本実施の形態と同様にして適宣充てんされているのはもちろんである。【００２１】  また、フィルタ部材２８は一般的に不織布により形成されたものを用いるが、銅繊維４０ｂにより形成した銅材フィルタとすることも可能である。これにより、中空構造容器２２に収容される銅の質量が増加するため、さらに効率的に処理対象水溶液を浄化処理することが可能になり好適である。このようにフィルタ部材２８を銅材フィルタとした場合、銅材フィルタを中空構造容器２２の内部に複数層となるように積層させることにより、銅材フィルタそのものを浄化材４０として利用することができるのももちろんである。これによれば、浄化材４０が微粒子でなくなるため、浄化材４０の取り扱いが容易になるため好適である。【００２２】  また、処理対象水溶液の流入量および流入圧は、中空構造容器２２に収容された浄化材４０が図３に示すような流動状態となる数値となるように、制御手段により適宣制御されているが、要は中空構造容器２２に流入する処理対象水溶液に対し、浄化材４０のそれぞれが次々と接触する���うな形態となっていればよく、浄化材４０は必ずしも流動状態になっている必要はない。例えば、処理対象水溶液の中空構造容器２２に対する流入量および流入圧は、中空構造容器２２に収容された浄化材４０の集合のよる全体形状が図２に示す状態を維持しつつ、浄化材４０の集合の内部における各浄化材４０が流動状態をなす程度の数値であっても良い。なお、浄化材４０が流動状態ならず、処理対象水溶液が単純に浄化材４０を通過するような状態であっても、処理対象水溶液の浄化処理自体は行われる。
【実施例１】
【００２３】  次に、本発明における脱塩素浄化装置による次亜塩素酸および次亜塩素酸ナトリウムの浄化について具体的に説明する。
脱塩素浄化装置１０の浄化部２０は、内径寸法が１００ｍｍであって、高さが３００ｍｍの円筒からなる中空構造容器２２に、内径寸法が５０ｍｍの円筒状に形成された連結部２４ａ、２６ｂを有する流入口２４および流出口２６が取り付けられている。中空構造容器２２には、浄化材４０として、平均粒径が１５０μｍ程度の粒状体４０ａが約６ｋｇ収容されている。【００２４】  このような脱塩素浄化装置１０に、０．３ｍｇ／Ｌの次亜塩素酸水溶液をポンプで流入口２４へ２０Ｌ／分の割合で流入させて、中空構造容器２２の内部を観察したところ、粒状体４０ａは流動状態で中空構造容器２２の内部で運動していた。流出口２６から処理された水溶液を採取し、測定したところ０．０５ｍｇ／Ｌ未満となっており、この数値以下は表示できない事から浄化したと言える。連続的に１日１２時間、６ヶ月間稼働し分解処理させたところ同じ結果が得られた。
【図面の簡単な説明】
【００２５】
【図１】本実施の形態における脱塩素浄化装置の正面図である。
【図２】図１におけるＡ−Ａ断面の断面図である。
【図３】浄化装置内に処理対象水溶液を流入させた状態における内部状態を示す断面である。
【図４】浄化装置の他の実施形態の一例を示す説明断面図である。
【符号の説明】
【００２６】  １０  脱塩素浄化装置
２０  浄化部
２２  中空構造容器
２４  流入口
２６  流出口
２８  フィルタ部材
３０  シール部材
３２  ボルト
３４  ナット
４０  浄化材
４０ａ  銅粒子
４０ｂ  銅繊維
【図１】
2009113022.tif 000003
【図２】
2009113022.tif 000004
【図３】
2009113022.tif 000005
【図４】
2009113022.tif 000006